(57)【要約】【課題】電子的な番組表を用いた操作の操作性を向上させる。【解決手段】表示制御端末２１では、取得部９１は、番組の予約の情報、番組の録画の録画結果の情報、またはユーザの嗜好を表す嗜好の情報の１以上の情報を取得し、選択部９２は、取得された情報によって特定される番組の中から、番組の放送時刻が現在時刻に最も近い番組を、番組表の表示開始時に注目すべき初期番組として選択する。そして、表示制御部８４は、番組表の表示開始時に、番組表の初期番組を注目状態にして、番組表を表示させる。本発明は、例えば、HDレコーダ等の録画装置や、録画装置を遠隔制御するリモートコマンダ等に適用できる。【選択図】図３
2007267093.tif 000002
【特許請求の範囲】
【請求項１】
番組表を表示させる表示制御を行う情報処理装置において、
番組の予約の情報、番組の録画の録画結果の情報、またはユーザの嗜好を表す嗜好の情報の１以上の情報を取得する取得手段と、
前記取得手段によって取得された情報によって特定される番組の中から、番組の放送時刻が現在時刻に最も近い番組を、前記番組表の表示開始時に注目すべき初期番組として選択する選択手段と、
前記番組表の表示開始時に、前記番組表の前記初期番組を注目状態にして、前記番組表を表示させる表示制御手段と
を備える情報処理装置。
【請求項２】
前記番組に関する番組情報を取得する番組情報取得手段をさらに備え、
前記表示制御手段は、前記番組情報取得手段によって取得された番組情報に基づいて、番組表を表示させる
請求項１に記載の情報処理装置。
【請求項３】
前記初期番組として選択する対象の対象番組を、ユーザの指示に基づいて設定する設定手段をさらに備え、
前記取得手段は、前記設定手段による設定結果に応じて、番組の予約の情報、番組の録画の録画結果の情報、またはユーザの嗜好を表す嗜好の情報の１以上を取得する
請求項１に記載の情報処理装置。
【請求項４】
番組を受信する受信装置、番組を受信して表示する表示装置、または番組の録画を行う録画装置である
請求項１に記載の情報処理装置。
【請求項５】
番組を受信する受信装置、
番組を受信して表示する表示装置、
または番組の録画を行う録画装置
を遠隔制御する制御装置である
請求項１に記載の情報処理装置。
【請求項６】
番組表を表示させる表示制御を行う情報処理方法において、
番組の予約の情報、番組の録画の録画結果の情報、またはユーザの嗜好を表す嗜好の情報の１以上の情報を取得し、
取得された情報によって特定される番組の中から、番組の放送時刻が現在時刻に最も近い番組を、前記番組表の表示開始時に注目すべき初期番組として選択し、
前記番組表の表示開始時に、前記番組表の前記初期番組を注目状態にして、前記番組表を表示させる
ステップを含む情報処理方法。
【請求項７】
番組表を表示させる表示制御を行う情報処理をコンピュータに実行させるプログラムにおいて、
番組の予約の情報、番組の録画の録画結果の情報、またはユーザの嗜好を表す嗜好の情報の１以上の情報を取得し、
取得された情報によって特定される番組の中から、番組の放送時刻が現在時刻に最も近い番組を、前記番組表の表示開始時に注目すべき初期番組として選択し、
前記番組表の表示開始時に、前記番組表の前記初期番組を注目状態にして、前記番組表を表示させる
ステップを含むプログラム。
【発明の詳細な説明】
【技術分野】
【０００１】
本発明は、情報処理装置、および方法、並びにプログラムに関し、特に、例えば、電子的な番組表を用いた操作の操作性を向上させることができるようにする情報処理装置、および方法、並びにプログラムに関する。
【背景技術】
【０００２】
TV(Television)放送等の放送波によって放送される番組をビデオテープやDVD(Digital Versatile Disc)、HD(Hard Disk)等の記録媒体に録画する録画装置としては、例えば、放送される番組の番組情報（EPG(Electronic Program Guide)データ等）を、放送波やネットワーク等の通信路を介して受信し、その番組情報に基づいて、電子的な番組表を、TV受像機等のモニタに表示させるものが普及している。
【０００３】
かかる録画装置によれば、ユーザは、例えば、ボタンやダイヤル等を操作することにより、モニタに表示された番組表の中の所望の番組を注目状態にし、さらに、所定の操作を行うことで、注目状態となっている番組の録画予約等を行うことができる。
【０００４】
ここで、注目状態とは、番組がフォーカスされている状態、または番組の欄にカーソルが位置している状態をいう。番組がフォーカスされている状態、または番組の欄にカーソルが位置している状態で、ユーザが番組の選択を確定する確定操作を行うと、例えば、フォーカスされている番組またはカーソルが位置している番組の録画予約を行う画面に画面表示が遷移し、あるいは、フォーカスまたはカーソルのある番組が既に録画されていれば、その番組の再生が開始される。
【０００５】
なお、録画装置の高機能化に伴い、例えば、ユーザによって入力されたキーワードに基づいて、そのキーワードと相関の強い番組情報に対応する番組を予約録画する自動録画機能や、番組情報を、例えば、予め決められた周期で受信することにより、放送される番組の内容や放送時刻の変更等に追従して、録画される番組や録画される時間等を自動的に変更する機能等を有する録画装置が登場している。
【０００６】
また、放送コンテンツ及び番組情報を含む放送信号を受信する受信手段と、放送信号から番組情報を抽出する番組情報抽出手段と、少なくとも過去の視聴履歴、予め設定された番組のジャンル及びキーワードのいずれかを含む選択情報を記憶する記憶手段と、選択情報を用いて番組情報抽出手段で抽出した番組情報から特定の番組を選択する選択手段とを有し、番組情報から少なくともチャンネル単位、時間単位及びジャンル単位のいずれかの単位で番組表を表示する第１の表示手段と、選択手段で選択された特定の番組を番組表として表示する第２の表示手段と、第１の表示手段と前記第２の表示手段とを切り替える表示切替手段とを備えるデジタル放送受信装置がある（例えば、特許文献１参照）。
【０００７】
【特許文献１】特開２００５−２７７５３６号公報
【発明の開示】
【発明が解決しようとする課題】
【０００８】
ユーザは、モニタに表示された番組表を利用して、例えば、録画装置で録画された番組の録画結果の確認や、既に行われている録画予約または視聴予約の確認または変更、新たな録画予約または視聴予約を行うことがある。
【０００９】
しかしながら、従来においては、番組表の表示開始時に、番組表において、録画がされた番組や、既に録画予約または視聴予約がされた番組、あるいはユーザの嗜好に合う番組が注目状態とされるようになっていなかった。
【００１０】
そのため、ユーザは、番組表に表示された数多くの番組の中から所望の番組を目視で探し出し、さらに、その所望の番組を注目状態とするために、ボタンやダイヤル等を操作して、カーソルの位置やフォーカスされている位置を移動する必要があった。
【００１１】
また、ユーザが、番組の開始時刻の直前に、その番組の録画予約や録画予約の変更を始めると、モニタに番組表を表示させてから、録画予約やその変更をしようとする番組を注目状態とする操作に時間がかかるために、番組の冒頭部分の録画に失敗してしまうことがあった。
【００１２】
本発明は、このような状況に鑑みてなされたものであり、電子的な番組表を用いた操作の操作性を向上させることができるようにするものである。
【課題を解決するための手段】
【００１３】
本発明の一側面の情報処理装置は、番組表を表示させる表示制御を行う情報処理装置において、番組の予約の情報、番組の録画の録画結果の情報、またはユーザの嗜好を表す嗜好の情報の１以上の情報を取得する取得手段と、前記取得手段によって取得された情報によって特定される番組の中から、番組の放送時刻が現在時刻に最も近い番組を、前記番組表の表示開始時に注目すべき初期番組として選択する選択手段と、前記番組表の表示開始時に、前記番組表の前記初期番組を注目状態にして、前記番組表を表示させる表示制御手段とを備える。
【００１４】
本発明の一側面の情報処理装置には、前記番組に関する番組情報を取得する番組情報取得手段をさらに設け、前記表示制御手段には、前記番組情報取得手段によって取得された番組情報に基づいて、番組表を表示させることができる。
【００１５】
本発明の一側面の情報処理装置には、前記初期番組として選択する対象の対象番組を、ユーザの指示に基づいて設定する設定手段をさらに設け、前記取得手段には、前記設定手段による設定結果に応じて、番組の予約の情報、番組の録画の録画結果の情報、またはユーザの嗜好を表す嗜好の情報の１以上を取得させることができる。
【００１６】
本発明の一側面の情報処理方法、またはプログラムは、番組表を表示させる表示制御を行う情報処理方法、またはプログラムにおいて、番組の予約の情報、番組の録画の録画結果の情報、またはユーザの嗜好を表す嗜好の情報の１以上の情報を取得し、取得された情報によって特定される番組の中から、番組の放送時刻が現在時刻に最も近い番組を、前記番組表の表示開始時に注目すべき初期番組として選択し、前記番組表の表示開始時に、前記番組表の前記初期番組を注目状態にして、前記番組表を表示させるステップを含む。
【００１７】
本発明の一側面においては、番組の予約の情報、番組の録画の録画結果の情報、またはユーザの嗜好を表す嗜好の情報の１以上の情報が取得され、取得された情報によって特定される番組の中から、番組の放送時刻が現在時刻に最も近い番組が、前記番組表の表示開始時に注目すべき初期番組として選択され、前記番組表の表示開始時に、前記番組表の前記初期番組を注目状態にして、前記番組表が表示される。
【発明の効果】
【００１８】
本発明の一側面によれば、電子的な番組表を用いた操作の操作性を向上させることができる。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の情報処理装置は、番組表を表示させる表示制御を行う情報処理装置において、番組の予約の情報、番組の録画の録画結果の情報、またはユーザの嗜好を表す嗜好の情報の１以上の情報を取得する取得手段（例えば、図３の取得部９１）と、前記取得手段によって取得された情報によって特定される番組の中から、番組の放送時刻が現在時刻に最も近い番組を、前記番組表の表示開始時に注目すべき初期番組として選択する選択手段（例えば、図３の選択部９２）と、前記番組表の表示開始時に、前記番組表の前記初期番組を注目状態にして、前記番組表を表示させる表示制御手段（例えば、図３の表示制御部８４）とを備える。
【００２１】
本発明の一側面の情報処理装置には、前記番組に関する番組情報を取得する番組情報取得手段（例えば、図３の番組情報取得部６２）をさらに設け、前記表示制御手段には、前記番組情報取得手段によって取得された番組情報に基づいて、番組表を表示させることができる。
【００２２】
本発明の一側面の情報処理装置には、前記初期番組として選択する対象の対象番組を、ユーザの指示に基づいて設定する設定手段（例えば、図３の初期表示設定指示部７９）をさらに設け、前記取得手段には、前記設定手段による設定結果に応じて、番組の予約の情報、番組の録画の録画結果の情報、またはユーザの嗜好を表す嗜好の情報の１以上を取得させることができる。
【００２３】
本発明の一側面の情報処理方法、またはプログラムは、番組表を表示させる表示制御を行う情報処理方法、またはプログラムにおいて、番組の予約の情報、番組の録画の録画結果の情報、またはユーザの嗜好を表す嗜好の情報の１以上の情報を取得し（例えば、図５のステップＳ４３、ステップＳ４５、またはステップＳ４７）、取得された情報によって特定される番組の中から、番組の放送時刻が現在時刻に最も近い番組を、前記番組表の表示開始時に注目すべき初期番組として選択し（例えば、図５のステップＳ５４）、前記番組表の表示開始時に、前記番組表の前記初期番組を注目状態にして、前記番組表を表示させる（例えば、図４のステップＳ５）ステップを含む。
【００２４】
以下、図面を参照して本発明を適用した実施の形態について説明する。
【００２５】
図１は、本発明を適用した録画視聴予約システムの一実施の形態の構成例を示すブロック図である。
【００２６】
図１の録画視聴予約システムは、番組情報サーバ１１、インターネット１２、および家庭内LAN１３から構成されている。
【００２７】
番組情報サーバ１１は、EPGデータ等の番組情報を記憶しており、インターネット１２に接続されている。番組情報サーバ１１は、例えば、インターネット１２を介して、家庭内LAN１３からの番組情報の要求があると、番組情報を、インターネット１２を介して、家庭内LAN１３に送信する。
【００２８】
家庭内LAN１３は、例えば、ユーザの自宅等に構築されている。家庭内LAN１３では、表示制御端末２１、アクセスポイント２２、ルータ２３、および録画装置２４が、有線または無線で接続されている。
【００２９】
表示制御端末２１は、例えば、ユーザの操作に応じて、録画装置２４や映像表示音声再生装置２５を遠隔制御するリモートコマンダとしての機能を有する、例えば、携帯電話機やPDA(Personal Digital Assistants)等の携帯可能な端末であり、アクセスポイント２２を経由して、録画装置２４等と双方向通信を行い、録画装置２４等を制御する。このような表示制御端末２１は、通信プロトコルとしてIP(Internet Protocol)を用いる場合には、IPリモコン（リモートコマンダ）等とも呼ばれる。
【００３０】
アクセスポイント２２は、家庭内LAN１３における無線LANにより接続される機器と、有線LANとのアクセスポイントであり、所定の周波数の信号を送受信することにより、表示制御端末２１と通信を行う。
【００３１】
なお、図１では、表示制御端末２１を操作するユーザの利便性を考慮して、表示制御端末２１を、例えば、ユーザの自宅内の任意の場所で利用することを想定し、表示制御端末２１と録画装置２４とが、アクセスポイント２２を介してワイヤレスで通信することができるように家庭内LAN１３が構築されている。
【００３２】
また、図１では、表示制御端末２１は、無線LAN機能を有し、表示制御端末２１およびアクセスポイント２２は、いわゆるインフラストラクチャモードと呼ばれる無線LANネットワークを構成する。この場合、表示制御端末２１は、アクセスポイント２２を経由して、録画装置２４等と通信を行う。但し、例えば、表示制御端末２１と通信を行う録画装置２４が無線LAN機能を有し、表示制御端末２１および録画装置２４が、いわゆるアドホックモード通信に対応する場合には、表示制御端末２１と録画装置２４とは、アドホックモード通信によって、アクセスポイント２２なしで、無線通信を行うことができる。
【００３３】
ルータ２３は、インターネット１２に接続されており、インターネット１２や家庭内LAN１３内の機器がやりとりするパケットを中継する。
【００３４】
録画装置２４は、例えば、ビデオテープレコーダ、DVDレコーダ、HDレコーダ等であり、TV放送等の放送波をアンテナを介して受信する放送波受信装置２４Ａを内部に有する。録画装置２４は、放送波受信装置２４Ａにより受信されたTV放送等の番組を、ユーザの指示に基づいてビデオテープ、DVD、HD等の記録媒体に記録（録画）する。
【００３５】
また、録画装置２４は、録画された番組を再生する。さらに、録画装置２４は、再生された番組や放送波受信装置２４Ａによって受信された番組に対応する画像や音声の信号を、映像表示音声再生装置２５に供給する。
【００３６】
映像表示音声再生装置２５は、例えば、TV受像機等であり、録画装置２４から供給される信号に対応する番組の画像を表示し、音声を出力する。
【００３７】
図２は、図１の表示制御端末２１の内部構成例を示すブロック図である。
【００３８】
図２において、表示制御端末２１には、ネットワークI/F（Interface）４１、LCD４２、GDP（Graphic Display Processor）４３、CPU(Central Processing Unit)４４、ROM(Read Only Memory)/RAM(Random Access Memory)４５、データ保存部４６、入力部４７、およびバス４８が設けられており、ネットワークI/F４１乃至データ保存部４６は、バス４８を介して相互に接続され、入力部４７は、CPU４４に接続されている。
【００３９】
ネットワークI/F４１は、無線LANアダプタ等で構成され、例えば、アクセスポイント２２との間で通信を行う。即ち、ネットワークI/F４１は、バス４８を介して供給されるデータをアクセスポイント２２に送信し、アクセスポイント２２から送信されてくるデータを受信して、バス４８上に出力する。
【００４０】
LCD４２は、画像、テキスト等の各種の情報を表示する。GDP４３は、LCD４２に表示するためのデータ処理、並びにLCD４２の駆動および制御を行う。CPU４４は、ROM/RAM４５に記憶されたプログラムを実行し、例えば、ユーザによる入力部４７を介した指示に基づいて各種の処理を行う。
【００４１】
ROM/RAM４５は、CPU４４によって実行されるプログラム等を記憶している。また、ROM/RAM４５は、CPU４４の動作に必要なデータを記憶する。データ保存部４６は、例えば、HDやフラッシュメモリ等で構成され、番組情報、録画予約、視聴予約に関する情報等を保存する。入力部４７は、例えば、ボタン、ダイヤル等で構成され、LCD４２に表示されるGUI等を用いるためにユーザによって操作される。
【００４２】
図３は、図１の表示制御端末２１、録画装置２４、および番組情報サーバ１１の機能的構成例を示すブロック図である。
【００４３】
図３の表示制御端末２１の機能的構成は、図２のCPU４４がプログラムを実行することにより実現される。
【００４４】
表示制御端末２１において、番組情報要求部６１は、例えば、予め決められた周期で、番組情報の取得要求を、通信部８５を介して番組情報サーバ１１の番組情報提供部１２１に送信する。
【００４５】
番組情報サーバ１１は、番組情報要求部６１によって送信された番組情報の取得要求に応じて、最新の番組情報を、通信部８５を介して、番組情報取得部６２に送信する。
【００４６】
番組情報取得部６２は、送信されてくる最新の番組情報を、通信部８５を介して受信（取得）し、番組情報記憶部６３に供給する。番組情報記憶部６３は、番組情報取得部６２から供給される番組情報を記憶する。番組表作成部６４は、例えば、ユーザによる番組表の表示開始の指示に応じて、番組情報記憶部６３から番組情報を読み出し、その番組情報に基づいて、番組表（の表示データ）を作成して、合成部８３に供給する。
【００４７】
機器情報取得部６５は、録画装置２４や、その他、表示制御端末２１と通信可能な録画装置から機器情報を取得する。即ち、機器情報取得部６５は、例えば、録画装置２４の、後述する機器情報提供部１０２から送信されてくる、その録画装置２４を特定する機器情報を、通信部８５を介して受信し、機器情報保存部６６に供給する。
【００４８】
機器情報保存部６６は、機器情報取得部６５から供給される機器情報を記憶する。
【００４９】
録画装置指定部６７は、通信部８５がデータ（要求その他のコマンドを含む）を送信する装置を特定する機器情報を、機器情報保存部６６に保存されている機器情報の中から読み出し、通信部８５に供給する。ここで、通信部８５は、録画装置指定部６７からの機器情報によって特定される装置宛に、データを送信する。
【００５０】
録画結果情報取得部６８は、例えば、録画結果の情報の取得要求を、通信部８５を介して、録画装置２４に送信し、その取得要求に応じて、録画装置２４から送信されてくる録画結果の情報を、通信部８５を介して受信（取得）する。即ち、録画結果情報取得部６８は、録画結果の情報の取得要求を、通信部８５に供給し、通信部８５は、録画結果情報取得部６８からの取得要求を、録画装置指定部６７から供給される機器情報によって特定される録画装置２４に対して送信し、さらに、その取得要求に応じて、録画装置２４から送信されてくる録画の結果の情報を受信して、録画結果情報取得部６８に供給する。録画結果情報取得部６８は、以上のようにして、通信部８５から供給される録画結果の情報を受信し、録画結果情報記憶部６９に供給する。
【００５１】
録画結果情報記憶部６９は、録画結果情報取得部６８から供給される録画結果の情報を記憶する。
【００５２】
録画視聴予約情報取得部７０は、例えば、録画予約または視聴予約の情報の取得要求を、通信部８５を介して、録画装置２４に送信し、その取得要求に応じて、録画装置２４から送信されてくる録画予約または視聴予約の情報を、通信部８５を介して受信（取得）する。即ち、録画視聴予約情報取得部７０は、録画予約または視聴予約の情報の取得要求を、通信部８５に供給し、通信部８５は、録画視聴予約情報取得部７０からの取得要求を、録画装置指定部６７から供給される機器情報によって特定される録画装置２４に対して送信し、さらに、その取得要求に応じて、録画装置２４から送信されてくる録画予約または視聴予約の情報を受信して、録画視聴予約情報取得部７０に供給する。録画視聴予約情報取得部７０は、以上のようにして、通信部８５から供給される録画予約または視聴予約の情報を受信し、録画視聴予約情報記憶部７１に供給する。
【００５３】
録画視聴予約情報記憶部７１は、録画視聴予約情報取得部７０から供給される録画予約または視聴予約の情報を記憶する。
【００５４】
嗜好情報取得部７２は、例えば、ユーザの嗜好を表す嗜好の情報の取得要求を、通信部８５を介して、録画装置２４に送信し、その取得要求に応じて、録画装置２４から送信されてくる嗜好の情報を、通信部８５を介して受信（取得）する。即ち、嗜好情報取得部７２は、嗜好の情報の取得要求を、通信部８５に供給し、通信部８５は、嗜好情報取得部７２からの嗜好の情報の取得要求を、録画装置指定部６７から供給される機器情報によって特定される録画装置２４に対して送信し、さらに、その取得要求に応じて、録画装置２４から送信されてくる嗜好の情報を受信して、嗜好情報取得部７２に供給する。嗜好情報取得部７２は、以上のようにして、通信部８５から供給される嗜好の情報を受信し、嗜好情報記憶部７３に供給する。
【００５５】
嗜好情報記憶部７３は、嗜好情報取得部７２から供給される嗜好の情報を記憶する。
【００５６】
なお、嗜好の情報は、録画装置２４から取得される他、ユーザによって入力部４７を介して入力されてもよい。その場合には、入力された嗜好の情報は、嗜好情報記憶部７３に記憶される。
【００５７】
録画視聴予約設定指示部７４は、ユーザが入力部４７を操作することにより、その入力部４７から供給される操作信号に基づいて、録画予約または視聴予約の設定要求を、通信部８５を介して録画装置２４に送信する。即ち、録画視聴予約設定指示部７４は、録画予約または視聴予約の設定要求を、通信部８５に供給し、通信部８５は、録画視聴予約設定指示部７４からの録画予約または視聴予約の設定要求を、録画装置指定部６７から供給される機器情報によって特定される録画装置２４に対して送信する。
【００５８】
嗜好情報設定指示部７５は、ユーザが入力部４７を操作することにより、その入力部４７から供給される操作信号に基づいて、ユーザの嗜好を表す嗜好の情報の設定要求を、通信部８５を介して録画装置２４に送信する。即ち、嗜好情報設定指示部７５は、嗜好の情報の設定要求を、通信部８５に供給し、通信部８５は、嗜好情報設定指示部７５からの嗜好の情報の設定要求を、録画装置指定部６７から供給された機器情報によって特定される録画装置２４に対して送信する。
【００５９】
録画結果表示作成部７６は、録画結果情報記憶部６９に記憶されている録画結果の情報を読み出し、例えば、番組表における録画がされた番組の欄に付す、録画がされたことを表すマーク等の表示データを作成し、合成部８３に供給する。
【００６０】
録画視聴予約表示作成部７７は、録画視聴予約情報記憶部７１に記憶されている録画予約または視聴予約の情報を読み出し、例えば、番組表における録画予約または視聴予約がされている番組の欄に付す、録画予約または視聴予約がされていることを表すマーク等の表示データを作成し、合成部８３に供給する。
【００６１】
現在時刻取得部７８は、時刻を計時しており、現在時刻のデータを、初期表示設定抽出部８１および合成部８３に供給する。
【００６２】
初期表示設定指示部７９は、ユーザが入力部４７を操作することにより、その入力部４７から供給される操作信号に基づいて、番組表の表示開始時に、番組表において注目状態にされる（フォーカスをされる）対象となる対象番組（以下、適宜、初期表示対象番組という）を設定し、その初期表示対象番組を表す情報である初期表示設定情報を初期表示設定記憶部８０に供給する。
【００６３】
初期表示設定記憶部８０は、初期表示設定指示部７９から供給される初期表示設定情報を記憶する。
【００６４】
初期表示設定抽出部８１は、取得部９１、および選択部９２から構成され、初期表示対象番組の中から、番組表の表示開始時に注目状態とする初期番組を選択する。
【００６５】
即ち、取得部９１は、初期表示設定記憶部８０から初期表示設定情報を読み出し、その初期表示設定情報に基づいて、録画予約または視聴予約の情報、録画結果の情報、または嗜好の情報を取得する。
【００６６】
具体的には、初期表示設定情報は、予約（録画予約若しくは視聴予約）がされている番組、録画がされた番組、またはユーザの嗜好に合った番組のうちの１以上を表しており、取得部９１は、初期表示設定情報が、予約がされている番組を表す場合には、録画視聴予約情報記憶部７１から録画予約または視聴予約の情報を読み出すことにより取得する。
【００６７】
また、取得部９１は、初期表示設定情報が、録画がされた番組を表す場合には、録画結果情報記憶部６９から録画結果の情報を読み出すことにより取得し、初期表示設定情報が、ユーザの嗜好に合う番組を表す場合には、嗜好情報記憶部７３から嗜好の情報を読み出すことにより取得する。
【００６８】
選択部９２は、取得部９１によって取得された情報によって特定される番組の中から、初期番組とする番組を選択し、その番組を表す情報を、制御用表示作成部８２に供給する。
【００６９】
即ち、選択部９２は、取得部９１によって取得された情報によって特定される番組の中から、番組の放送時刻と、現在時刻取得部７８から供給される現在時刻との差が最小の番組を初期番組として選択し、その初期番組の情報を制御用表示作成部８２に供給する。ここで、取得部９１によって取得された情報には、その情報によって特定される番組の情報、例えば、タイトル、開始時刻、終了時刻、チャンネル等が含まれている。
【００７０】
制御用表示作成部８２は、入力部４７から供給される操作信号や、初期表示設定抽出部８１から供給される初期番組の情報に基づき、番組表のある欄に表示される番組を注目状態とする表示データを作成し、合成部８３に供給する。
【００７１】
即ち、制御用表示作成部８２は、入力部４７からの操作信号に基づき、現在注目状態となっている番組から、他の番組を注目状態とする表示データを作成し、合成部８３に供給する。これにより、ユーザによる入力部４７の操作に応じて、注目状態となる番組が変更される。さらに、制御用表示作成部８２は、番組表の表示開始時に、初期表示設定抽出部８１から供給された初期番組の情報に基づいて、初期番組を注目状態とする表示データを作成し、合成部８３に供給する。
【００７２】
合成部８３は、番組表作成部６４から供給された番組表の表示データ、録画結果表示作成部７６から供給された録画結果の情報の表示データ、録画視聴予約表示作成部７７から供給された録画予約または視聴予約の情報の表示データ、現在時刻取得部７８から供給された現在時刻の表示データ、および制御用表示作成部８２から供給された表示データを合成して、最終的な番組表の表示データを作成する。そして、合成部８３は、その最終的な番組表の表示データを表示制御部８４に供給する。
【００７３】
表示制御部８４は、合成部８３から供給された番組表の表示データに基づいて、図２のLCD４２に番組表を表示させる。
【００７４】
通信部８５は、番組情報要求部６１や、録画結果情報取得部６８、録画視聴予約情報取得部７０、嗜好情報取得部７２、録画視聴予約設定指示部７４、嗜好情報設定指示部７５の要求等に応じて、番組情報サーバ１１や録画装置２４と通信をする。
【００７５】
ここで、入力部４７、番組情報要求部６１乃至番組表作成部６４、録画結果情報記憶部６９、録画視聴予約情報記憶部７１、嗜好情報記憶部７３、並びに、録画結果表示作成部７６乃至表示制御部８４は、番組表の表示開始時に、番組表の中の所定の番組を初期番組として注目状態とする初期表示制御部１００を構成する。
【００７６】
図３において、録画装置２４は、通信部１０１、機器情報提供部１０２、録画視聴予約設定部１０３、録画視聴予約情報記憶部１０４、録画結果判定部１０５、録画視聴予約実行部１０６、動画像保存部１０７、嗜好情報設定部１０８、嗜好情報記憶部１０９、および嗜好番組抽出部１１０から構成されている。
【００７７】
通信部１０１は、表示制御端末２１の通信部８５等との間で表示制御端末２１と通信を行う。
【００７８】
機器情報提供部１０２は、表示制御端末２１からの機器情報の取得要求に応じて、録画装置２４を特定する機器情報を表示制御端末２１に送信する。即ち、通信部１０１は、表示制御端末２１から機器情報の取得要求が送信されてくると、その取得要求を受信し、機器情報提供部１０２に供給する。機器情報提供部１０２は、録画装置２４を特定する機器情報を記憶しており、通信部１０１から機器情報の取得要求が送信されると、録画装置２４を特定する機器情報を、通信部１０１に供給する。通信部１０１は、機器情報提供部１０２から供給される機器情報を、表示制御端末２１に対して送信する。
【００７９】
録画視聴予約設定部１０３は、表示制御端末２１からの録画予約または視聴予約の設定要求に応じて、その録画予約または視聴予約の情報を、録画視聴予約情報記憶部１０４に供給する。即ち、通信部１０１は、表示制御端末２１から録画予約または視聴予約の設定要求が送信されてくると、その設定要求を受信し、録画視聴予約設定部１０３に供給する。録画視聴予約設定部１０３は、通信部１０１から供給される録画予約または視聴予約の設定要求に基づいて、その録画予約または視聴予約の情報を生成し、録画視聴予約情報記憶部１０４に供給する。
【００８０】
嗜好情報設定部１０８は、表示制御端末２１からの嗜好の情報の設定要求に応じて、その嗜好の情報を、嗜好情報記憶部１０９に供給する。即ち、通信部１０１は、表示制御端末２１から嗜好の情報の設定要求が送信されてくると、その設定要求を受信し、その設定要求に含まれる嗜好の情報を、嗜好情報設定部１０８に供給する。嗜好情報設定部１０８は、通信部１０１から供給される嗜好の情報の設定要求に基づいて、嗜好の情報を生成し、嗜好情報記憶部１０９に供給する。
【００８１】
嗜好情報記憶部１０９は、嗜好情報設定部１０８から供給された嗜好の情報を記憶する。その他、嗜好情報記憶部１０９は、ユーザが録画装置２４を操作することにより入力される嗜好の情報を記憶する。
【００８２】
嗜好番組抽出部１１０は、嗜好情報記憶部１０９から嗜好の情報を読み出し、その嗜好の情報によって特定される番組を、嗜好番組として選択（抽出）する。そして、嗜好番組抽出部１１０は、嗜好番組の録画予約または視聴予約の情報を、必要に応じて、録画視聴予約情報記憶部１０４に供給する。即ち、嗜好番組抽出部１１０は、例えば、番組情報サーバ１１から番組情報を取得し、その番組情報の中から、嗜好情報記憶部１０９から読み出された嗜好の情報と相関の強い番組情報を選択（抽出）する。そして、嗜好番組抽出部１１０は、その番組情報によって特定される嗜好番組の録画予約または視聴予約の情報を生成し、録画視聴予約情報記憶部１０４に供給する。
【００８３】
録画視聴予約情報記憶部１０４は、録画視聴予約設定部１０３および嗜好番組抽出部１１０から供給される録画予約または視聴予約の情報を記憶する。
【００８４】
また、録画視聴予約情報記憶部１０４は、表示制御端末２１からの録画予約または視聴予約の情報の取得要求に応じて、録画予約または視聴予約の情報を表示制御端末２１に送信する。即ち、通信部１０１は、表示制御端末２１から録画予約または視聴予約の情報の取得要求が送信されてくると、その取得要求を受信し、録画視聴予約情報記憶部１０４に供給する。録画視聴予約情報記憶部１０４は、録画予約または視聴予約の情報を記憶しており、通信部１０１から録画予約または視聴予約の情報の取得要求が供給されると、録画予約または視聴予約の情報を、通信部１０１に供給する。通信部１０１は、録画視聴予約情報記憶部１０４から供給される録画予約または視聴予約の情報を、表示制御端末２１に対して送信する。
【００８５】
録画結果判定部１０５は、表示制御端末２１からの録画結果の情報の取得要求に応じて、録画視聴予約実行部１０６によって実行された録画結果を判定し、その結果得られる録画結果の情報を、表示制御端末２１に送信する。即ち、通信部１０１は、表示制御端末２１からの録画結果の情報の取得要求が送信されてくると、その取得要求を受信し、録画結果判定部１０５に供給する。録画結果判定部１０５は、通信部１０１から供給された録画結果の情報の取得要求に基づいて、録画視聴予約実行部１０６によって実行された録画が成功または失敗したかを判定し、その判定結果を表す録画結果の情報を、通信部１０１に供給する。通信部１０１は、録画結果判定部１０５から供給される録画結果の情報を、表示制御端末２１に送信する。
【００８６】
録画視聴予約実行部１０６は、録画視聴予約情報記憶部１０４に記憶された録画予約または視聴予約の情報に基づいて、予約録画または予約視聴の実行をする。即ち、録画視聴予約実行部１０６は、録画予約の情報に基づいて、放送波受信装置２４Ａ（図１）によって受信される番組の画像や音声の信号を、動画像保存部１０７に供給することにより、番組を録画する。さらに、録画視聴予約実行部１０６は、視聴予約の情報に基づいて、放送波受信装置２４Ａ（図１）によって受信される番組の画像や音声の信号を、録画装置２４に接続された映像表示音声再生装置２５（図１）に供給する。
【００８７】
その他、録画視聴予約実行部１０６は、ユーザによって録画を指示する操作がされた場合、その指示に従って、番組を動画像保存部１０７に録画する。
【００８８】
動画像保存部１０７は、録画視聴予約実行部１０６から供給される画像や音声の信号を記録（記憶）する。
【００８９】
図３において、番組情報サーバ１１は、番組情報提供部１２１から構成されている。
【００９０】
番組情報提供部１２１は、表示制御端末２１等からの番組情報の取得要求を受信し、その番組情報の取得要求に基づいて、番組情報を、表示制御端末２１等に対して送信する。
【００９１】
次に、図４のフローチャートを参照して、図３の表示制御端末２１の初期表示制御部１００による初期表示制御処理について説明する。
【００９２】
なお、録画結果情報取得部６８は、定期的または不定期に、録画結果の情報を録画装置２４に要求して取得し、これにより、録画結果情報記憶部６９には、最新の録画結果の情報が記憶されていることとする。また、録画視聴予約情報取得部７０は、定期的または不定期に、録画予約または視聴予約の情報を録画装置２４に要求して取得し、これにより、録画視聴予約情報記憶部７１には、最新の録画予約または視聴予約の情報が記憶されていることとする。さらに、嗜好情報取得部７２は、定期的または不定期に、嗜好の情報を録画装置２４に要求して取得し、これにより、嗜好情報記憶部７３には、最新の嗜好の情報が記憶されていることとする。
【００９３】
初期表示制御処理は、例えば、ユーザが番組表を表示するように、入力部４７を操作すると、開始される。
【００９４】
ステップＳ１において、番組情報要求部６１は、通信部８５を経由して番組情報サーバ１１に番組情報の取得要求を送信する。さらに、ステップＳ１では、番組情報取得部６２は、番組情報要求部６１が送信した取得要求に応じて番組情報サーバ１１の番組情報提供部１２１から送信されてくる最新の番組情報を、通信部８５を経由して受信し、番組情報記憶部６３に供給して記憶させ、ステップＳ２に進む。
【００９５】
ここで、ユーザが番組表を表示するように、入力部４７を操作してから、番組情報を、番組情報サーバ１１に要求すると、番組表が表示されるまでに時間を要することになる。そこで、表示制御端末２１では、定期または不定期に、番組情報サーバ１１に番組情報を要求し、これにより、最新の番組情報を取得して、番組情報記憶部６３に記憶しておくようにすることができる。この場合、初期表示制御処理において、ステップＳ１の処理は、スキップすることができる。
【００９６】
ステップＳ２において、番組表作成部６４は、番組情報記憶部６３に記憶されている番組情報に基づいて、番組表の表示データを作成し、合成部８３に供給して、ステップＳ３に進む。
【００９７】
ステップＳ３において、初期表示設定抽出部８１は、録画結果情報記憶部６９、録画視聴予約情報記憶部７１、または嗜好情報記憶部７３に記憶された情報と、初期表示設定記憶部８０に記憶された初期表示設定情報に基づいて、初期番組を選択する初期番組選択処理を行い、初期番組の情報（例えば、タイトル、開始時刻、終了時刻、チャンネル等）を制御用表示作成部８２に供給して、ステップＳ４に進む。
【００９８】
ステップＳ４において、制御用表示作成部８２は、初期表示設定抽出部８１から供給された初期番組の情報に基づいて、番組表の初期番組（の欄）を注目状態とする表示データを作成し、合成部８３に供給して、ステップＳ５に進む。
【００９９】
ステップＳ５において、合成部８３は、番組表作成部６４から供給された番組表の表示データと、制御用表示作成部８２から供給された表示データ、さらには、必要に応じて、録画結果表示作成部７６や録画視聴予約表示作成部７７で作成された表示データを合成して、初期番組を注目状態とした番組表の表示データを最終的な番組表の表示データとして作成し、表示制御部８４に供給する。そして、表示制御部８４は、合成部８３から供給された最終的な番組表の表示データに基づいて、LCD４２に番組表を表示し、初期表示制御処理を終了する。
【０１００】
これにより、LCD４２には、ステップＳ３の初期番組選択処理で選択された初期番組が注目状態となっている番組表が表示される。
【０１０１】
図５のフローチャートを参照して、図４のステップＳ３で初期表示設定抽出部８１が行う初期番組選択処理について説明する。
【０１０２】
ステップＳ４１において、初期表示設定抽出部８１の取得部９１は、初期表示設定記憶部８０から初期表示設定情報を取得し、ステップＳ４２に進む。
【０１０３】
ステップＳ４２において、取得部９１は、ステップＳ４１で取得された初期表示設定情報が表す番組に既に録画がされた番組が含まれるかどうか（既に録画された番組が初期表示対象番組に設定をされているかどうか）を判定する。ステップＳ４２において、初期表示設定情報が表す番組に既に録画がされた番組が含まれると判定された場合、ステップＳ４３に進み、取得部９１は、録画結果情報記憶部６９から既に録画がされた番組の情報である録画結果の情報を取得し、ステップＳ４４に進む。
【０１０４】
また、ステップＳ４２において、初期表示設定情報が表す番組に既に録画がされた番組が含まれないと判定された場合、ステップＳ４３をスキップして、ステップＳ４４に進む。
【０１０５】
ステップＳ４４において、取得部９１は、ステップＳ４１で取得された初期表示設定情報が表す番組に録画予約または視聴予約がされている番組が含まれるかどうか（録画予約または視聴予約がされている番組が初期表示対象番組に設定をされているかどうか）を判定する。ステップＳ４４において、初期表示設定情報が表す番組に録画予約または視聴予約がされている番組が含まれると判定された場合、ステップＳ４５に進み、取得部９１は、録画視聴予約情報記憶部７１から録画予約または視聴予約がされている番組の情報である録画予約または視聴予約の情報を取得し、ステップＳ４６に進む。
【０１０６】
また、ステップＳ４４において、初期表示設定情報が表す番組に録画予約または視聴予約がされている番組が含まれないと判定された場合、ステップＳ４５をスキップして、ステップＳ４６に進む。
【０１０７】
ステップＳ４６において、取得部９１は、ステップＳ４１で取得された初期表示設定情報が表す番組にユーザの嗜好に合う番組が含まれるかどうか（ユーザの嗜好に合う番組が初期表示対象番組に設定をされているかどうか）を判定する。ステップＳ４６において、初期表示設定情報が表す番組にユーザの嗜好に合う番組が含まれると判定された場合、ステップＳ４７に進み、取得部９１は、嗜好情報記憶部７３からユーザの嗜好に合う番組の情報である嗜好の情報を取得し、ステップＳ４８に進む。
【０１０８】
また、ステップＳ４６において、ステップＳ４１で取得された初期表示設定情報が表す番組にユーザの嗜好に合う番組が含まれないと判定された場合、ステップＳ４７およびステップＳ４８をスキップし、ステップＳ４９に進む。
【０１０９】
ステップＳ４８において、取得部９１は、ステップＳ４７で取得された嗜好の情報に基づいて、嗜好の情報によって特定される番組の番組情報を、例えば、番組情報記憶部６３から取得し、ステップＳ４９に進む。即ち、取得部９１は、例えば、番組情報記憶部６３から番組情報を読み出すとともに、嗜好情報記憶部７３から嗜好の情報を読み出し、番組情報の中から、嗜好の情報と相関の強い番組情報を選択し、ユーザの嗜好に合う嗜好番組の番組情報として取得する。例えば、嗜好の情報がキーワードである場合、番組情報の中から、キーワードを含む番組情報を取得する。
【０１１０】
ここで、ステップＳ４８において、取得部９１が嗜好番組の番組情報を選択するアルゴリズム（方法）と、録画装置２４の嗜好番組抽出部１１０が嗜好番組の番組情報を選択するアルゴリズム（方法）とは、同一であってもよいし、異なっていてもよい。
【０１１１】
ステップＳ４９において、選択部９２は、現在時刻取得部７８から現在時刻を取得（受信）し、ステップＳ５０に進む。
【０１１２】
ステップＳ５０において、選択部９２は、ステップＳ４３、ステップＳ４４またはステップＳ４８で取得された情報（録画結果の情報、録画予約または視聴予約の情報、または嗜好の情報によって特定される番組の番組情報）によって特定される番組が２つ以上あるかどうかを判定する。
【０１１３】
ステップＳ５０において、ステップＳ４３、ステップＳ４４またはステップＳ４８で取得された情報によって特定される番組が２つ以上あると判定された場合、ステップＳ５１に進み、選択部９２は、ステップＳ４３で取得された録画結果の情報およびステップＳ４９で得た現在時刻に基づいて、録画結果の情報によって特定される番組の放送時刻と現在時刻との時間差（大きさ）を算出して、ステップＳ５２に進む。
【０１１４】
ここで、番組の放送時刻としては、その番組の開始時刻または終了時刻を採用することができ、即ち、例えば、既に録画をされた番組の放送時刻としては、その番組の終了時刻を採用することができる。この場合、直近に録画が終了した番組が、初期番組となり得る。また、予約（録画予約または視聴予約）をされている番組やユーザの嗜好に合う番組の放送時刻としては、その番組の開始時刻を採用することができる。この場合、直近に録画が開始される、あるいは直近に録画が開始された、予約をされている番組やユーザの嗜好に合う番組が、初期番組となり得る。
【０１１５】
なお、初期表示設定情報が表す番組に録画がされた番組が含まれない場合には、ステップＳ５１をスキップし、ステップＳ５２に進む。
【０１１６】
ステップＳ５２において、選択部９２は、ステップＳ４５で取得された録画予約または視聴予約の情報およびステップＳ４９で得た現在時刻に基づいて、録画予約または視聴予約の情報によって特定される番組の放送時刻と現在時刻との時間差（大きさ）を算出して、ステップＳ５３に進む。
【０１１７】
なお、初期表示設定情報が表す番組に録画予約または視聴予約をされている番組が含まれない場合には、ステップＳ５２をスキップし、ステップＳ５３に進む。
【０１１８】
ステップＳ５３において、選択部９２は、ステップＳ４８で取得された、嗜好の情報によって特定される番組（嗜好番組）の番組情報およびステップＳ４９で得た現在時刻に基づいて、嗜好の情報によって特定される番組の放送時刻と現在時刻との時間差（大きさ）を算出して、ステップＳ５４に進む。
【０１１９】
なお、初期表示設定情報が表す番組にユーザの嗜好に合う番組が含まれない場合には、ステップＳ５３をスキップし、ステップＳ５４に進む。
【０１２０】
ステップＳ５４において、選択部９２は、ステップＳ５１、ステップＳ５２、およびステップＳ５３で時間差を算出した番組の中で、時間差が最小の番組を、初期番組として選択する。そして、選択部９２は、初期番組の情報を、制御用表示作成部８２に供給して、初期番組選択処理を終了し、リターンする。
【０１２１】
一方、ステップＳ５０において、ステップＳ４３、ステップＳ４４またはステップＳ４８で取得された情報（録画結果の情報、録画予約または視聴予約の情報、または嗜好の情報によって特定される番組の番組情報）によって特定される番組が２つ以上ないと判定された場合、ステップＳ６１に進む。
【０１２２】
ステップＳ６１において、選択部９２は、ステップＳ４３、ステップＳ４４またはステップＳ４８で取得された情報によって特定される番組が１つあるかどうかを判定する。
【０１２３】
ステップＳ６１において、ステップＳ４３、ステップＳ４４またはステップＳ４８で取得された情報によって特定される番組が１つあると判定された場合、選択部９２は、その番組を初期番組として選択する。そして、選択部９２は、初期番組の情報を、制御用表示作成部８２に供給して、初期番組選択処理を終了し、リターンする。
【０１２４】
一方、ステップＳ６１において、ステップＳ４３、ステップＳ４４またはステップＳ４８で取得された情報によって特定される番組が１つもないと判定された場合、ステップＳ６４に進み、選択部９２は、例えば、番組情報記憶部６３から番組情報を取得し、取得された番組情報と、ステップＳ４９で得た現在時刻に基づいて、例えば、開始時刻が現在時刻に最も近い、既に放送が開始されている番組を、初期番組として選択する。そして、選択部９２は、初期番組の情報を制御用表示作成部８２に供給して、初期番組選択処理を終了し、リターンする。
【０１２５】
次に、図６乃至図１０を参照して、図２のLCD４２に表示される番組表の表示の例について説明する。
【０１２６】
図６は、既に録画がされている番組が初期表示対象番組に設定をされている場合の、番組表の表示開始時のLCD４２の表示の例である。
【０１２７】
図６のLCD４２において、その表示領域の右上には、現在時刻を表す時計情報１５１と、現在の日付を表すカレンダ情報１５２が表示されている。
【０１２８】
また、LCD４２の表示領域の中央には、番組表１５４が表示されている。番組表１５４は、縦方向を時刻とするとともに、横方向をチャンネル（放送局）として、番組が放送される時間と放送局によって特定される番組の欄に区切られ、各欄には、対応する番組のタイトルや開始時刻を表す情報などの番組情報が配置されている。さらに、番組表１５４の各欄には、必要に応じて、録画結果（一部失敗）アイコン１６４、録画結果（成功）アイコン１６５、録画予約アイコン１６６、および視聴予約アイコン１６７が配置される。
【０１２９】
図６では、４つのチャンネル「日本総合」、「日本教育」、「JTV」、「TBC」それぞれのPM 0時台からPM 2時台までの間に放送される番組の欄が表示されている。
【０１３０】
ここで、LCD４２に表示された番組表１５４は、ユーザが入力部４７（図２）を操作することにより、縦方向や横方向にスクロールすることができる。LCD４２では、番組表１５４が縦方向にスクロールされることにより、他の時間に放送される（放送された）番組の番組欄が表示され、番組表１５４が横方向にスクロールされることにより、他のチャンネルで放送される番組の番組欄が表示される。
【０１３１】
また、番組表１５４の表示開始時においては、番組表１５４は、例えば、現在放送されている番組の放送時刻帯が最上行に位置するように表示される。図６においては、PM 0時台が最上行に位置しており、従って、現在時刻は、PM 0時台の時刻である。
【０１３２】
録画結果（一部失敗）アイコン１６４は、番組の録画の一部が失敗したことを表す三角形状のアイコンであり、図６では、チャンネル「日本総合」でPM 0時台の00分から放送が開始された番組「ニュース」（タイトルが「ニュース」の番組）の欄に配置されている。録画結果（一部失敗）アイコン１６４によれば、ユーザは、チャンネル「日本総合」でPM 0時台の00分から放送が開始された番組「ニュース」の録画に失敗したことを、即座に認識することができる。
【０１３３】
録画結果（成功）アイコン１６５は、番組の録画が成功したことを表す丸形状のアイコンであり、図６では、チャンネル「日本教育」でPM 0時台の10分から放送が開始された番組「１ヶ月英会話」（タイトルが「１ヶ月英会話」の番組）の欄に配置されている。録画結果（成功）アイコン１６５によれば、ユーザは、チャンネル「日本教育」でPM 0時台の10分から放送が開始された番組「１ヶ月英会話」の録画に成功したことを、即座に認識することができる。
【０１３４】
ここで、図６では、チャンネル「日本総合」でPM 0時台の00分から放送が開始された番組「ニュース」とチャンネル「日本教育」でPM 0時台の10分から放送が開始された番組「１ヶ月英会話」の放送時間の一部が重複しており、このため、番組「ニュース」と番組「１ヶ月英会話」のうちの、例えば、番組「ニュース」の録画が一部失敗している。
【０１３５】
録画予約アイコン１６６は、番組の録画予約がされていることを表す文字列「録予」のアイコンであり、図６では、チャンネル「日本総合」でPM 2時台の00分から放送が開始される番組「ニュース」（タイトルが「ニュース」の番組）の欄に配置されている。録画予約アイコン１６６によれば、ユーザは、チャンネル「日本総合」でPM 2時台の00分から放送が開始される番組「ニュース」の録画予約がされていることを即座に認識することができる。
【０１３６】
視聴予約アイコン１６７は、番組の視聴予約がされていることを表す文字列「視予」のアイコンであり、図６では、チャンネル「TBC」でPM 2時台の00分から放送が開始される番組「3年8組の先生」（タイトルが「3年8組の先生」の番組）の欄に配置されている。録画予約アイコン１６６によれば、ユーザは、チャンネル「TBC」でPM 2時台の00分から放送が開始される番組「3年8組の先生」の視聴予約がされていることを即座に認識することができる。
【０１３７】
ここで、録画結果（一部失敗）アイコン１６４と録画結果（成功）アイコン１６５は、録画結果表示作成部７６（図３）で作成された表示データにしたがって表示され、録画予約アイコン１６６と視聴予約アイコン１６７は、録画視聴予約表示作成部７７（図３）で作成された表示データにしたがって表示される。
【０１３８】
図６では、上述したように、既に録画がされた番組が、初期表示対象番組に設定をされており、既に録画がされた番組の中で、放送時刻（終了時刻）が現在時刻に最も近い番組が注目状態になっている。
【０１３９】
即ち、図６では、チャンネル「日本教育」でPM 0時台の10分から放送が開始された番組「１ヶ月英会話」が、既に録画がされた番組の中で、放送時刻（終了時刻）が現在時刻に最も近い番組になっており、このため、番組「１ヶ月英会話」が、初期番組として、フォーカス１６８があたっている状態（注目状態の１つ）となっている。
【０１４０】
番組表１５４において、既に録画がされた番組にフォーカスがあたっている状態で、ユーザが、入力部４７を、選択の確定をするように操作（確定操作）すると、表示制御端末２１は、フォーカスがあたっている番組の再生を要求するコマンドを、録画装置２４に送信する。これにより、録画装置２４では、フォーカスがあたっている番組の再生が開始される。
【０１４１】
従って、この場合、ユーザは、番組表１５４を表示させた後、フォーカスがあたっている番組を変更する操作をせずに、既に録画された番組のうちの、放送時刻（終了時刻）が現在時刻に最も近い番組、つまり直近に録画が終了した番組の再生を開始させることができる。
【０１４２】
なお、番組表１５４において、フォーカスがあたっている番組の欄は、他の欄と異なる色や、明るさ、あるいは、明暗が他の欄の表示と反対で表示されるようになっており、これにより、ユーザは、フォーカスがあたっている番組を、容易に認識することができる。
【０１４３】
図７は、録画予約または視聴予約がされている番組が初期表示対象番組に設定をされている場合の、番組表の表示開始時のLCD４２の表示の例である。
【０１４４】
なお、図７において、図６における場合と対応する部分には、同一の符号が付してあり、その説明は適宜省略する。
【０１４５】
図７では、上述したように、録画予約または視聴予約がされている番組が、初期表示対象番組に設定をされており、録画予約または視聴予約がされている番組の中で、放送時刻（開始時刻）が現在時刻に最も近い番組が注目状態になっている。
【０１４６】
即ち、図７では、チャンネル「日本総合」でPM 1時台の05分から放送が開始される番組「ハロ〜スタジオ広場」が、録画予約または視聴予約がされている番組の中で、放送時刻（開始時刻）が現在時刻に最も近い番組になっており、このため、番組「ハロ〜スタジオ広場」が、初期番組として、フォーカス１６８があたっている状態（注目状態の１つ）となっている。
【０１４７】
番組表１５４において、録画予約または視聴予約がされている番組にフォーカスがあたっている状態で、ユーザが、入力部４７を、選択の確定をするように操作（確定操作）すると、表示制御端末２１は、フォーカスがあたっている番組の録画予約または視聴予約の内容の確認や修正、および消去を行うための設定画面をLCD４２に表示させる。
【０１４８】
従って、この場合、ユーザは、番組表１５４を表示させた後、フォーカスがあたっている番組を変更する操作をせずに、録画予約または視聴予約されている番組のうちの、放送時刻（開始時刻）が現在時刻に最も近い番組の録画予約または視聴予約の内容の確認や修正、および消去を行うことができる。
【０１４９】
図８は、番組表１５４において、録画予約がされている番組がフォーカスされている（番組にフォーカスがあたっている）場合に、ユーザが入力部４７を確定操作することによってLCD４２に表示される、録画予約の確認等のための設定画面の表示の例である。
【０１５０】
なお、図８において、図６における場合と対応する部分には、同一の符号が付してあり、その説明は適宜省略する。
【０１５１】
LCD４２の表示領域の中央やや上側には、録画予約がされている番組の番組情報１８１として、放送日「７月１３日（水）」、チャンネル「日本総合」、放送枠「1:05PM-2:00PM」、およびタイトル「ハロ〜スタジオ広場」が表示されている。また、番組情報１８１の上側には、設定画面で行う設定の内容を表すメッセージ１８３として、「録画予約の内容を修正して下さい。」というメッセージが表示される。即ち、図８の設定画面は、既に録画予約がされている番組に対する設定画面であるので、この画面を用いて、ユーザは、録画予約の確認や修正を行う。
【０１５２】
LCD４２の表示領域の中央やや下側には、録画予約に関する詳細設定の設定項目およびその設定値からなる詳細設定一覧１８２が表示されている。詳細設定一覧１８２によれば、ユーザは、録画予約の内容を確認することができる。
【０１５３】
また、図８の設定画面には、予約確定ボタン１８４、中止ボタン１８５、予約消去ボタン１８６、および詳細設定ボタン１８７が設けられている。
【０１５４】
予約確定ボタン１８４は、番組情報１８１によって特定される、既に録画予約済みの番組の予約内容を確認、または修正した後で予約確定するときに操作され、中止ボタン１８５は、番組情報１８１によって特定される、既に録画予約済みの番組の予約内容の確認、または修正する操作を中止するときに操作される。予約消去ボタン１８６は、番組情報１８１によって特定される、既に録画予約済みの番組の予約を消去するときに操作され、詳細設定ボタン１８７は、番組情報１８１によって特定される、既に録画予約済みの番組の予約に関する詳細設定をするときに操作される。
【０１５５】
図９は、ユーザの嗜好に合う番組が初期表示対象番組に設定をされている場合の、番組表の表示開始時のLCD４２の表示の例である。
【０１５６】
なお、図９において、図６における場合と対応する部分には、同一の符号が付してあり、その説明は適宜省略する。
【０１５７】
また、図９では、キーワード「料理」がユーザの嗜好を表す嗜好の情報に設定されている。
【０１５８】
図９では、上述したように、ユーザの嗜好に合う番組が、初期表示対象番組に設定されており、ユーザの嗜好に合う番組（キーワード「料理」を番組情報に含む番組）の中で、放送時刻（開始時刻）が現在時刻に最も近い番組が注目状態になっている。
【０１５９】
即ち、図９では、チャンネル「日本教育」でPM 2時台の00分から放送が開始される番組「本日のお料理」が、ユーザの嗜好に合う番組の中で、放送時刻（開始時刻）が現在時刻に最も近い番組になっており、このため、番組「本日のお料理」が、初期番組として、フォーカス１６８があたっている状態（注目状態の１つ）となっている。
【０１６０】
番組表１５４において、ユーザの嗜好に合う番組にフォーカスがあたっている状態で、ユーザが、入力部４７を、選択の確定をするように操作（確定操作）すると、表示制御端末２１は、フォーカスがあたっている番組の録画予約または視聴予約を行うための設定画面をLCD４２に表示させる。
【０１６１】
従って、この場合、ユーザは、番組表１５４を表示させた後、フォーカスがあたっている番組を変更する操作をせずに、ユーザの嗜好に合う番組のうちの、放送時刻（開始時刻）が現在時刻に最も近い番組の録画予約または視聴予約を行うことができる。
【０１６２】
図１０は、番組表１５４において、ユーザの嗜好に合う番組がフォーカスされている場合に、ユーザが入力部４７を確定操作することによってLCD４２に表示される、録画予約等の設定画面の表示の例である。
【０１６３】
なお、図１０において、図８における場合と対応する部分には、同一の符号が付してあり、その説明は適宜省略する。
【０１６４】
LCD４２の表示領域の中央やや上側には、ユーザの嗜好に合う番組の番組情報１８１として、放送日「７月１３日（水）」、チャンネル「日本教育」、放送枠「2:00PM-2:25PM」、およびタイトル「本日のお料理」が表示されている。また、番組情報１８１の上側には、設定画面で行う設定の内容を表すメッセージ１８３として、「この番組を録画予約します。」というメッセージが表示される。即ち、図１０の設定画面は、まだ録画予約がされていない番組に対する設定画面であり、この画面を用いて、ユーザは、録画予約を行う。
【０１６５】
以上のように、番組表の表示開始時に、番組表において、録画がされた番組や、既に録画予約または視聴予約がされた番組、あるいはユーザの嗜好に合う番組にフォーカスがあてられるので、番組表の表示開始時に、ユーザにとって使い勝手の良い位置（番組）にフォーカスがあることにより、ユーザは、所望の番組に即座にアクセスすることができる。つまり、番組表を用いた操作の操作性を、格段に向上させることができる。
【０１６６】
さらに、初期表示対象番組の設定によって、録画がされた番組、予約がされた番組、またはユーザの嗜好に合う番組のいずれかを選択して、その番組のみを対象として、番組表の表示開始時にフォーカスをあてることができる。
【０１６７】
次に、上述したような番組表の表示制御は、録画装置２４等を遠隔制御する制御装置としての表示制御端末２１で行う他、番組を受信する受信装置としての、例えばSTB(Set Top Box)や、番組を受信して表示する表示装置としての、例えばTV受像機、番組を録画する録画装置２４としての、例えばHDレコーダ等で行うことができる。
【０１６８】
図１１は、表示制御端末２１と同様の番組表の表示制御を行うTV受像機の機能的構成例を示すブロック図である。
【０１６９】
なお、図１１において、図３における対応する部分には同一の符号が付してあり、その説明は省略する。
【０１７０】
図１１のTV受像機１０００において、入力部１０４７、番組情報要求部１０６１乃至通信部１０８５、取得部１０９１、または選択部１０９２は、それぞれ図３における表示制御端末２１の入力部４７、番組情報要求部６１乃至通信部８５、取得部９１、または選択部９２と同様に構成されており、従って、TV受像機１０００では、表示制御端末２１と同様の番組表の表示制御が行われる。
【０１７１】
図１２は、表示制御端末２１と同様の番組表の表示制御を行うSTBの機能的構成例を示すブロック図である。
【０１７２】
なお、図１２において、図３における対応する部分には同一の符号が付してあり、その説明は省略する。
【０１７３】
図１２のSTB２０００において、入力部２０４７、番組情報要求部２０６１乃至通信部２０８５、取得部２０９１、または選択部２０９２は、それぞれ図３における表示制御端末２１の入力部４７、番組情報要求部６１乃至通信部８５、取得部９１、または選択部９２と同様に構成されており、従って、STB２０００では、表示制御端末２１と同様の番組表の表示制御が行われる。
【０１７４】
なお、STB２０００は、番組表を、STB２０００に接続されている、TV受像機等の外部の映像表示音声再生装置２２００に表示させる。
【０１７５】
図１３は、表示制御端末２１と同様の番組表の表示制御を行う録画装置の機能的構成例を示すブロック図である。
【０１７６】
なお、図１３において、図３における対応する部分には同一の符号が付してあり、その説明は省略する。
【０１７７】
図１３の録画装置３０００において、入力部３０４７、番組情報要求部３０６１乃至番組表作成部３０６４、録画視聴予約情報記憶部３０６９、録画結果情報記憶部３０７１、嗜好情報記憶部３０７３、録画結果表示作成部３０７６乃至通信部３０８５、取得部３０９１、または選択部３０９２は、それぞれ図３における表示制御端末２１の入力部４７、番組情報要求部６１乃至番組表作成部６４、録画視聴予約情報記憶部６９、録画結果情報記憶部７１、嗜好情報記憶部７３、録画結果表示作成部７６乃至通信部８５、取得部９１、または選択部９２と同様に構成されており、従って、録画装置３０００では、表示制御端末２１と同様の番組表の表示制御が行われる。
【０１７８】
なお、録画装置３０００は、番組表を、録画装置３０００に接続されている、TV受像機等の外部の映像表示音声再生装置３２００に表示させる。
【０１７９】
また、録画装置３０００では、図３の表示制御端末２１と録画装置２４の両方の機能が一体化されており、図１３の録画装置３０００では、表示制御端末２１と録画装置２４との通信に必要な機能は有していない。
【０１８０】
即ち、図１３の録画装置３０００では、図３の表示制御端末２１の機器情報取得部６５、機器情報保存部６６、録画装置指定部６７、録画結果情報取得部６８、録画視聴予約情報取得部７０、および嗜好情報取得部７２、並びに録画装置２４の機器情報提供部１０２、録画視聴予約設定部１０３、および嗜好情報設定部１０８に対応するブロックは削除されている。また、図１３の録画装置３０００の通信部３０８５は、番組情報サーバ１１と通信を行う。
【０１８１】
なお、本実施の形態では、表示制御端末２１において、インターネット１２（図１）を介して、番組情報サーバ１１（図１）から番組情報を取得するようにしたが、その他、録画装置２４において、TV放送波に含まれる番組情報を受信し、表示制御端末２１では、録画装置２４から、通信によって番組情報を取得するようにしてもよい。
【０１８２】
また、表示制御端末２１では、嗜好の情報を制御対象の録画装置２４から取得し、初期番組の選択に用いるようにしたが、その他、初期番組の選択には、表示制御端末２１の入力部４７を操作することによって入力された嗜好の情報を用いることができる。
【０１８３】
例えば、複数のユーザそれぞれが、自分専用の表示制御端末２１を用い、その複数のユーザで録画装置２４を共有する場合、録画装置２４には、各ユーザにとっては不要な、他のユーザの嗜好の情報が記憶されるため、録画装置２４から取得した嗜好の情報を用いて初期番組を選択したのでは、他のユーザのみの嗜好に合った番組が初期番組として選択される不都合が生じる。初期番組の選択に、表示制御端末２１の入力部４７を操作することによって入力された嗜好の情報を用いることにより、かかる不都合を回避することができる。
【０１８４】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１８５】
【図１】本発明を適用した録画視聴予約システムの一実施の形態の構成例を示すブロック図である。
【図２】図１の表示制御端末２１の内部構成例を示すブロック図である。
【図３】図１の表示制御端末２１、録画装置２４、および番組情報サーバ１１の機能的構成例を示すブロック図である。
【図４】初期表示制御処理について説明するフローチャートである。
【図５】初期番組選択処理について説明するフローチャートである。
【図６】既に録画がされている番組が初期表示対象番組に設定をされている場合の、番組表の表示開始時のLCD４２の表示の例を示す図である。
【図７】録画予約または視聴予約がされている番組が初期表示対象番組に設定をされている場合の、番組表の表示開始時のLCD４２の表示の例を示す図である。
【図８】録画予約の確認等のための設定画面の表示の例を示す図である。
【図９】ユーザの嗜好に合う番組が初期表示対象番組に設定をされている場合の、番組表の表示開始時のLCD４２の表示の例を示す図である。
【図１０】録画予約等の設定画面の表示の例を示す図である。
【図１１】番組表の表示制御を行うTV受像機の機能的構成例を示すブロック図である。
【図１２】番組表の表示制御を行うSTBの機能的構成例を示すブロック図である。
【図１３】番組表の表示制御を行う録画装置の機能的構成例を示すブロック図である。
【符号の説明】
【０１８６】
１１  番組情報サーバ，  １２  インターネット，  １３  家庭内LAN，  ２１  表示制御端末，  ２２  アクセスポイント，  ２３  ルータ，  ２４  録画装置，  ２４Ａ  放送波受信装置,  ２５  映像表示音声再生装置，  ４１  ネットワークI/F，  ４２  LCD，  ４３  GDP，  ４４  CPU，  ４５  ROM/RAM，  ４６  データ保存部，  ４７  入力部，  ４８  バス，  ６１  番組情報要求部，  ６２  番組情報取得部，  ６３  番組情報記憶部，  ６４  番組表作成部，  ６５  機器情報取得部，  ６６  機器情報保存部，  ６７  録画装置指定部,  ６８  録画結果情報取得部，  ６９  録画結果情報記憶部，  ７０  録画視聴予約情報取得部,  ７１  録画視聴予約情報記憶部,  ７２  嗜好情報取得部,  ７３  嗜好情報記憶部,  ７４  録画視聴予約設定指示部,  ７５  嗜好情報設定指示部,  ７６  録画結果表示作成部，  ７７  録画視聴予約表示作成部,  ７８  現在時刻取得部,  ７９  初期表示設定指示部，  ８０  初期表示設定記憶部，  ８１  初期表示設定抽出部，  ８２  制御用表示作成部，  ８３  合成部，  ８４  表示制御部，  ８５  通信部，  ９１  取得部，  ９２  選択部，  １０１  通信部，  １０２  機器情報提供部，  １０３  録画視聴予約設定部，  １０４  録画視聴予約情報記憶部，  １０５  録画結果判定部，  １０６  録画視聴予約実行部，  １０７  動画像保存部，  １０８  嗜好情報設定部，  １０９  嗜好情報記憶部，  １１０  嗜好番組抽出部，  １２１  番組情報提供部，  １５１  時計情報，  １５２  カレンダ情報，  １５４  番組表，  １６４  録画結果（一部失敗）アイコン，  １６５  録画結果（成功）アイコン，  １６６  録画予約アイコン，  １６７  視聴予約アイコン，  １６８  フォーカス，  １８１  番組情報，  １８２  詳細設定一覧，  １８３  メッセージ，  １８４  予約確定ボタン，  １８５  中止ボタン，  １８６  予約消去ボタン，  １８７  詳細設定ボタン，  １０００  TV受像機，  １０４７  入力部，  １０６１  番組情報要求部，  １０６２  番組情報取得部，  １０６３  番組情報記憶部，  １０６４  番組表作成部，  １０６５  機器情報取得部，  １０６６  機器情報保存部，  １０６７  録画装置指定部,  １０６８  録画結果情報取得部，  １０６９  録画結果情報記憶部，  １０７０  録画視聴予約情報取得部,  １０７１  録画視聴予約情報記憶部,  １０７２  嗜好情報取得部,  １０７３  嗜好情報記憶部,  １０７４  録画視聴予約設定指示部,  １０７５  嗜好情報設定指示部,  １０７６  録画結果表示作成部，  １０７７  録画視聴予約表示作成部,  １０７８  現在時刻取得部,  １０７９  初期表示設定指示部，  １０８０  初期表示設定記憶部，  １０８１  初期表示設定抽出部，  １０８２  制御用表示作成部，  １０８３  合成部，  １０８４  表示制御部，  １０８５  通信部，  １０９１  取得部，  １０９２  選択部，  ２０００  STB，  ２０４７  入力部，  ２０６１  番組情報要求部，  ２０６２  番組情報取得部，  ２０６３  番組情報記憶部，  ２０６４  番組表作成部，  ２０６５  機器情報取得部，  ２０６６  機器情報保存部，  ２０６７  録画装置指定部,  ２０６８  録画結果情報取得部，  ２０６９  録画結果情報記憶部，  ２０７０  録画視聴予約情報取得部,  ２０７１  録画視聴予約情報記憶部,  ２０７２  嗜好情報取得部,  ２０７３  嗜好情報記憶部,  ２０７４  録画視聴予約設定指示部,  ２０７５  嗜好情報設定指示部,  ２０７６  録画結果表示作成部，  ２０７７  録画視聴予約表示作成部,  ２０７８  現在時刻取得部,  ２０７９  初期表示設定指示部，  ２０８０  初期表示設定記憶部，  ２０８１  初期表示設定抽出部，  ２０８２  制御用表示作成部，  ２０８３  合成部，  ２０８４  表示制御部，  ２０８５  通信部，  ２０９１  取得部，  ２０９２  選択部，  ２２００  映像表示音声再生装置，  ３０００  録画装置，  ３０４７  入力部，  ３０６１  番組情報要求部，  ３０６２  番組情報取得部，  ３０６３  番組情報記憶部，  ３０６４  番組表作成部，  ３０６９  録画結果情報記憶部，   ３０７１  録画視聴予約情報記憶部，  ３０７３  嗜好情報記憶部，  ３０７４  録画視聴予約設定指示部，   ３０７５  嗜好情報設定指示部，   ３０７６  録画結果表示作成部，  ３０７７  録画視聴予約表示作成部，  ３０７８  現在時刻取得部，  ３０７９  初期表示設定指示部，  ３０８０  初期表示設定記憶部，  ３０８１  初期表示設定抽出部，  ３０８２  制御用表示作成部，  ３０８３  合成部，  ３０８４  表示制御部，  ３０８５  通信部，  ３０９１  取得部，  ３０９２  選択部，  ３１０５  録画結果判定部，  ３１０６  録画視聴予約実行部，  ３１０７  動画像保存部，  ３１１０  嗜好番組抽出部，  ３２００  映像表示音声再生装置
【図１】
2007267093.tif 000003
【図２】
2007267093.tif 000004
【図３】
2007267093.tif 000005
【図４】
2007267093.tif 000006
【図５】
2007267093.tif 000007
【図６】
2007267093.tif 000008
【図７】
2007267093.tif 000009
【図８】
2007267093.tif 000010
【図９】
2007267093.tif 000011
【図１０】
2007267093.tif 000012
【図１１】
2007267093.tif 000013
【図１２】
2007267093.tif 000014
【図１３】
2007267093.tif 000015